(57)【要約】      （修正有）【課題】車椅子用のテーブルとしても、ベッドサイドテーブルとしても使用できるテーブルであって、挿入側脚部が車椅子の下、又は、ベッドの下にスムースに挿入できるようにした車椅子用又はベッド用テーブルを提供する。【解決手段】支柱側脚部４１と連結枠体４３に取り付け、車椅子又はベッドの下に挿入する挿入側脚部４２が平面Ｈ字状に配置された片持ち支持のテーブルにおいて、前記挿入側脚部４２の両先端部には中心角が１８０°以上の扇形の案内枠体４２２を設け、該挿入側脚部４２の両先端部に車椅子又はベッド側の前輪キャスターが接触する場合に、前記案内枠体４２２が該前輪キャスターを旋回させ移動するように案内する車椅子用又はベッド用テーブル。【選択図】図１
2015202260.tif 000002
【特許請求の範囲】
【請求項１】
支柱側脚部と連結枠に取り付け、車椅子又はベッドの下に挿入する挿入側脚部が平面Ｈ字状に配置された片持ち支持のテーブルにおいて、
前記挿入側脚部の両先端部には中心角が１８０°以上の扇形の案内枠体を設け、該挿入側脚部の両先端部に車椅子又はベッド側の前輪キャスターが接触する場合に、前記案内枠体が該前輪キャスターを旋回させ移動するように案内することを特徴とする車椅子用又はベッド用テーブル。
【請求項２】
前記挿入側脚部の両先端部の距離は、車椅子の両側の枠体の内側よりも小さくしたことを特徴とする請求項１に記載の車椅子用又はベッド用テーブル。
【請求項３】
前記円形の案内枠体の扇型は、中心角がほぼ２５０°から２９０°であることを特徴とする請求項１に記載の車椅子用又はベッド用テーブル。
【請求項４】
前記支柱側脚部及び挿入側脚部にはそれぞれ一対のキャスターが配置され、これらのキャスターのうち少なくとも複数の双輪キャスターは昇降するテーブル部の１箇所に設けられた操作部により、一括して双輪キャスターをロック状態、及びロック解除状態に操作されることを特徴とする請求項１又は２又は３に記載の車椅子用又はベッド用テーブル。
【請求項５】
前記挿入側脚部にはそれぞれ一対のキャスターは、支柱側脚部のキャスタ−機構より高さが低いキャスタ機構が用いられることを特徴とする請求項１又は２又は３又は４に記載の車椅子用又はベッド用テーブル。
【発明の詳細な説明】
【技術分野】
【０００１】
本発明は、病院の車椅子やベッド等に配置する車椅子又はベッド用テーブルに関し、さらに詳しくは、片持ち支持のテーブルを車椅子やベッドに配置するために、テーブルを車椅子の下やベッドの下に移動する際に、ベッド又は車椅子に付随の前輪キャスターを旋回移動させながら挿入することができる車椅子又はベッド用テーブルに関するものである。
【背景技術】
【０００２】
従来より、特許文献１に開示されているように、病院や介護施設には車椅子が配備され、車椅子にテーブルをセットする場合や、特許文献２に開示されているように、ベッドサイドテーブルが配置され、このベッドサイドテーブルの脚部は、平行に２本の枠体を配置し、それぞれの枠体の端部に２個のキャスターが設けられ、合計で４つのキャスターが配置されているが、この脚部の一方をベッドの下の空間に差し入れて配置し、テーブルがベッドの上部空間に位置するようにし、食事等のテーブルとして用いる場合がある。
また、ベッドサイドテーブルのベッドの下に挿入する脚部のキャスターは、床から高くない扁平のキャスター機構、例えば、特許公報３に示すような、低床キャスターが用いられることがある。
【先行技術文献】
【特許文献】
【０００３】
【特許文献１】特開２０１３−２１５４９９号公報
【特許文献２】特開２０１１−１８２８９６号公報
【特許文献３】意匠登録第１４１５０３９号公報
【発明の概要】
【発明が解決しようとする課題】
【０００４】
前述した特許文献１(特開2013-215499号公報)に開示される車椅子用の食事用移動テーブルは、脚部の占有面積が大きく、大きな床面積の保管場所を必要とするといった問題点があり、車椅子以外の用途には使用しづらいといった不都合があった。
前述した特許文献２(特開2011-182896号公報)に開示されるベッドサイドテーブルは、外観は一般的なもので、ベッドサイドテーブルは、テーブル支柱の支柱側脚部と連結枠体に取り付ける構造で、ベッドの下の床に挿入する挿入側脚部が平面(底面)Ｈ字状に配置されている。
ところで、病院や養護施設では、ベッドサイドテーブルをベットの脚の近傍に配置してあることが多く、取り出したい時にテーブルの挿入側脚部がベッドの脚に引っ掛かるといったことが多く、看護業務に支障をきたすという不都合があった。
【０００５】
本発明の課題は、前記の不都合に鑑みてなされたもので、車椅子用のテーブルとしても、ベッドサイドテーブルとしても使用できるテーブルであって、挿入側脚部がスムースに車椅子の下、又は、ベッドの下にスムースに挿入できるようにした車椅子用又はベッド用テーブルを提供することにある。
【課題を解決するための手段】
【０００６】
上記課題を解決するために、請求項１の発明は、支柱側脚部と連結枠に取り付け、車椅子又はベッドの下に挿入する挿入側脚部が平面Ｈ字状に配置された片持ち支持のテーブルにおいて、前記挿入側脚部の両先端部には中心角が１８０°以上の扇形の案内枠体を設け、該挿入側脚部の両先端部に車椅子又はベッド側の前輪キャスターが接触する場合に、前記案内枠体が該前輪キャスターを旋回させ移動するように案内することを特徴とする車椅子用又はベッド用テーブルである。
請求項２の発明は、請求項１に記載の車椅子用又はベッド用テーブルにおいて、前記挿入側脚部の両先端部の距離は、車椅子の両側の枠体の内側よりも小さくしたことを特徴とする。
請求項３の発明は、請求項１又は２に記載の車椅子用又はベッド用テーブルにおいて、前記円形の案内枠体の扇型は、中心角がほぼ２５０°から２９０°が好ましく、更に好ましくは２７０°であることを特徴とする。
請求項４の発明は、請求項１又は２又は３に記載の車椅子用又はベッド用テーブルにおいて、前記支柱側脚部及び挿入側脚部にはそれぞれ一対のキャスターが配置され、これらのキャスターのうち少なくとも複数の双輪キャスターは昇降するテーブル部の１箇所に設けられた操作部により、一括して双輪キャスターをロック状態、及びロック解除状態に操作されることを特徴とする。
請求項５の発明は、請求項１又は２又は３又は４に記載の車椅子用又はベッド用テーブルにおいて、前記挿入側脚部の一対のキャスターは、支柱側脚部のキャスタ−機構より高さが低いキャスタ機構が用いられることを特徴とする。
【発明の効果】
【０００７】
請求項１の車椅子又はベッド用の発明によれば、車椅子又はベッドの下に挿入し移動する際に、挿入側脚部の両先端部には外周が扇形の案内枠体が設けられており、車椅子又はベッドの前輪キャスターが、テーブルの挿入側脚部の両先端部に車椅子又はベッド側の前輪キャスターが接触する場合に、前記案内枠体が車椅子又はベッド側の前輪キャスターを旋回させ移動するように案内するので、スムースにテーブルの挿入側脚部を車椅子又はベッドの下に挿入し移動することができる。また、挿入側脚部を車椅子又はベッドの下から引き出す場合にも、同様に、スムースに引き出すことができ、車椅子又はベッドの使用者や介護者や看護師等にとって、車椅子又はベッド側の前輪キャスターの位置を旋回させるという煩わしい作業をしなくて済む。
請求項２の車椅子又はベッド用の発明によれば、特に車椅子に対して使用する際には、前記挿入側脚部の両先端部の距離は、車椅子の両側の枠体の内側よりも短くして、案内枠体が車椅子側の前輪キャスターを旋回させ移動するように案内するので、スムースにテーブルの挿入側脚部を車椅子の下の床に挿入して移動することができる。
請求項３の車椅子又はベッド用の発明によれば、円形の案内枠体の扇型は、中心角がほぼ２５０°から２９０°であるので、挿入側脚部を車椅子又はベッドの下から引き出す場合にも、テーブルをよりスムースに引き出すことができる。
請求項４の車椅子又はベッド用の発明によれば、複数の双輪キャスターは昇降するテーブル部の１箇所に設けられた操作部により、一括して双輪キャスターをロック状態、及びロック解除状態に操作することができるので、車椅子又はベッドの使用者や介護者や看護師等にとって簡単な作業となる。
請求項５の車椅子又はベッド用の発明によれば、挿入側脚部にはそれぞれ一対のキャスターは、支柱側脚部のキャスタ−機構より高さが低いキャスタ機構が用いられているので、簡単にテーブルの挿入側脚部を車椅子又はベッドの下に挿入し移動することができる。また、挿入側脚部を車椅子又はベッドの下から引き出す場合にもスムースに引き出せる。
【図面の簡単な説明】
【０００８】
【図１】本発明の実施例１の車椅子用又はベッド用テーブルの斜視図、
【図２】図１の底面図、
【図３】従来のテーブルの動作を説明する作動説明図、
【図４】実施例１の動作を説明する作動説明図、
【図５】本発明の実施例２の車椅子用又はベッド用テーブルの斜視図、
【図６】図５の底面図である。
【発明を実施するための形態】
【０００９】
ここで、本発明の好適な車椅子又はベッド用固定装置の実施例を図面に沿って説明する。
[実施例１]
図１、図２は、本発明の車椅子又はベッド用の実施例１であるが、ベッドでベッドサイドテーブルとして使用できるが、主に車椅子に適したベッド用テーブルである。
図１で、車椅子又はベッド用のテーブル部１の上面は平坦で水平に保たれ、食事等に使用されるようになっており、テーブル部１は一本の支柱部２によって片側を支持され、この支柱部２は、通常、車椅子或いはベッドでの使用に適する位置するテーブル部１の高さを調整するため、伸縮機構によって伸縮自在になっており、高さ調節レバー３(図２(実施例２においては図６)）によって、支柱部２の高さを調整している。
【００１０】
この支柱部２は、基礎部を構成する脚部４に固定され、脚部４は、大凡、Ｈ字状で平行な二本のキャスター付き支柱側脚部４１,挿入側脚部４２と、これを連結する連結枠体４３とから構成され、テーブルＡが転倒しないような形状をしている。前記Ｈ字状で平行な二本の支柱側脚部４１,挿入側脚部４２は、通常、支柱側脚部４１が車椅子Ｂ或いは ベッドＣの外側に配置され、主に支柱部２を支持し、挿入側脚部４２は車椅子Ｂ或いは ベッドＣの下に挿入してテーブルＡが倒れないような位置にするように構成されている。
【００１１】
実施例１ではテーブル部１の上面は、車椅子での食事に適するように、手前側１１は凹状の湾曲部１１１を有しており、手前側１１とは反対側１２の底部１２１は、支柱側脚部４１が連なっており、底部１２１にキャスター５を操作する操作レバー５３１（図２）が配置されている。
このテーブルＡ、特に脚部４の底面は、図２に示すように、ほぼＨ字状で、通常、車椅子ＢやベッドＣ(点線)（図５）の外側に位置する支柱側脚部４１の底面の両端部に位置する２箇所に、一対の比較的車輪直径が大きく、旋回ロック機構と車輪回転のロック機構とを有する大型の双輪キャスター５１が取付けられ、支柱部２から離れ、通常、車椅子ＢやベッドＣの下の空間に挿入する挿入側脚部４２の底面の両端部に位置する２箇所にも一対の比較的車輪の直径が小さく、床からの高さが前記双輪キャスター(キャスター機構)５１に比較して低い、扁平のキャスター(キャスター機構)５２(前掲、特許文献３を参照、実施例１の図１ではｈ＝2.8cm)が取付けられており、挿入や退出の移動の際には、これらのキャスター５のロック状態が操作部５３の操作レバー５３１の操作によって一斉に全部解除され、容易に移動することができる。
【００１２】
脚部４は、支柱側脚部４１と連結枠体４３に取り付け、車椅子ＢやベッドＣの下に挿入する挿入側脚部４２が平面Ｈ字状に配置され、挿入側脚部４２の一対の先端部４２１には、中心角が１８０°以上の扇形の案内枠体４２２が設けられるが、この扇形の中心角は１８０°以上がよく、好ましくは、ほぼ２５０°から２９０°であり、本実施例１では２７０°の中心角である。
また、図３,４に示すように、案内枠体４２２の両先端部４２１間の距離は、車椅子Ｂの両側の枠体Ｂ１の内側よりも若干小さくしている。
【００１３】
この案内枠体４２２の作用を図４、５を用いて説明する。
図４は、従来の車椅子用テーブルＡ１の上面図である。この場合に、車椅子Ｂの前面部Ｂ１の設けられている前輪キャスターＢ２の一方が、テーブルＡの挿入側脚部４２の両先端部４２１に車椅子Ｂ側の前輪キャスターＢ２が車椅子Ｂの前方枠体Ｂ３の内側に旋回したままである場合には、図示するように、挿入側脚部４２の両先端部４２１は前輪キャスターＢ２によってそれ以上挿入できない状態になり、これを是正するには、使用者が手で前輪キャスターＢ２を通路から除くように旋回させなければ、テーブルＡをそれ以上進行させることはできない。また、逆に進行後に前輪キャスターＢ２が通路側に旋回して飛び出た場合も同様の作業が必要となる。
【００１４】
これに対して、実施例１の場合は、図４(ａ)〜（ｃ）に示すように、自然と車椅子Ｂの前輪キャスターＢ１が通路から旋回して退避させることができる。
これを順次説明すると、図４(ａ)では、テーブルＡの挿入側脚部４２の両先端部４２１に車椅子側の前輪キャスターＢ２が前方枠体Ｂ３の内側に旋回したままである場合に、挿入側脚部４２の両先端部４２１に設けた案内枠体４２２に前輪キャスターＢ２が接触する。
次に、図４(ｂ)では、外周扇形(円形)の案内枠体４２２に前輪キャスターＢ２が接触するが、テーブル部１とともに案内枠体４２２が更に進行すると、前輪キャスターＢ２は車椅子Ｂの両側の前方枠体Ｂ３の外側に押し出される。
こうして、次の図４(ｃ)では、車椅子Ｂの前輪キャスターＢ２は両側の前方枠体Ｂ３の外側に押し出されているので、挿入側脚部４２及び案内枠体４２２が更にスムースに所定の位置まで進入できる。
逆に、テーブルＡを車椅子Ｂから引き出す際に、前輪キャスターＢ２が後退する通路に突出していても、図２に示すように、中心角が２７０°の扇形の案内枠体４２２があるので、挿入側脚部４２の左右の枠よりも飛び出た扇形であるので、この部分でスムースに前輪キャスターＢ２を車椅子Ｂの両側の前方枠体Ｂ３の外側に押し出すことができる。
【００１５】
実施例１の車椅子用又はベッド用テーブルは、以上のような構成なので、車椅子の下に挿入移動する際に、挿入側脚部４２の両先端部４２１には外周が扇形の案内枠体４２２が設けられており、車椅子の前輪キャスターＢ２が、テーブルＡの挿入側脚部４２の両先端部４２１に車椅子側の前輪キャスターＢ２が接触する場合に、案内枠体４２２が車椅子側の前輪キャスターＢ２を旋回させ移動するように案内するので、スムースにテーブルＡの挿入側脚部４２を車椅子Ｂの下に挿入し移動することができ、挿入側脚部４２を車椅子Ｂの下から引き出す場合にも、同様に、スムースに引き出すことができ、車椅子Ｂの使用者や介護者や看護師等にとって、車椅子側の前輪キャスターの位置を旋回させるという煩わしい作業をしなくて済む。
また、複数の（双輪)キャスターは昇降するテーブル部１の１箇所に設けられた操作部５３の操作レバー５３１により、一括してキャスターをロック状態、及びロック解除状態に操作することができるので、車椅子Ｂの使用者や介護者や看護師等にとって簡単な作業となる。
更に、挿入側脚部４２の一対のキャスター５２(５)は、支柱側脚部４１のキャスタ−機構より高さが低いキャスタ機構が用いられているので、簡単にテーブルＡの挿入側脚部４２を車椅子の下に挿入し移動することができる。また、挿入側脚部４２を車椅子Ｂの下から引き出す場合にもスムースに引き出せる。
【００１６】
[実施例２]
図５、図６は、本発明の車椅子又はベッド用の実施例２であるが、主にベッドサイドテーブルに適したテーブルである。
実施例２が実施例１と異なる点は、ベッドＣでの使用に適するように、テーブル部１の上面形状が矩形でサイズも大きく、それに伴い連結枠体４３も長く、挿入側脚部４２の両先端部４２１の距離も長くして安定性を向上させ、また、操作部５３及び操作レバー５３１も左右に設けている点であり、他の構成は同じであるので説明は省略する。
実施例２の作用は、ベッドＣの脚部ポールＣ１や脚部ポールＣ１のキャスターＣ２に挿入側脚部４２が接触しても、案内枠体４２２が扇型をしているので、案内枠体４２２によってキャスターＣ２を旋回移動させたり、挿入側脚部４２が脚部ポールＣ１に引っ掛かることなく移動することができる。
【００１７】
したがって、実施例２の車椅子又はベッド用は、以上のような構成なので、ベッドＣの下の床に挿入移動する際に、挿入側脚部４２の両先端部４２１には外周が扇形の案内枠体４２２が設けられており、ベッドＣのキャスターＣ２が、テーブルＡの挿入側脚部４２の両先端部４２２にベッドＣ側のキャスターＣ２や脚部ポールＣ１に接触しても、前記案内枠体４２２がベッドＣ側のキャスターＣ２を旋回させ移動するように案内し、脚部ポールＣ１に引っ掛かることなくスムースに移動することができ、また、挿入側脚部４２２をベッドＣの下の床に挿入する場合も、逆に引き出す場合にも、案内枠体４２２の扇型は、中心角がほぼ２５０°から２９０°であるので、スムースに引き出すことができ、ベッドＣの使用者や介護者や看護師等にとって、ベッドＣ側のキャスターＣ２の位置を旋回させるという煩わしい作業をしなくて済む。
また、複数の双輪キャスター５２(５)は、昇降するテーブル部１の１箇所に設けられた操作部５３の操作レバー５３１により、一括して双輪キャスター５２(５)をロック状態、及びロック解除状態に操作されることができるので、ベッドＣの使用者や介護者や看護師等にとって簡単な作業となる。さらに、挿入側脚部４２の一対のキャスター機構５２は、支柱側脚部４１のキャスタ−機構５３より高さが低いキャスタ機構が用いられているので、簡単にテーブルＡの挿入側脚部４２をベッドＣの下の床に挿入し移動することができる。
なお、本発明の特徴を損なうものでなければ、上記の実施例に限定されるものでないことは勿論である。
【符号の説明】
【００１８】
Ａ・・テーブル、
Ｂ・・車椅子、Ｂ１・・前面部、Ｂ２・・前輪キャスター、Ｂ３・・前方枠体
Ｃ・・ベッド、Ｃ１・・脚部ポール、Ｃ２・・キャスター、
１・・テーブル部、１１・・手前側、１１１・・湾曲部、１２・・反対側、
１２１・・底部
２・・支柱部、
３・・高さ調節レバー、
４・・脚部、４１・・支柱側脚部、４２・・挿入側脚部、
４２１・・先端部、４２２・・案内枠体、４３・・連結枠体、
５,５１,５２・・キャスター（キャスター機構） 、
５３・・操作部、５３１・・操作レバー、
【図１】
2015202260.tif 000003
【図２】
2015202260.tif 000004
【図３】
2015202260.tif 000005
【図４】
2015202260.tif 000006
【図５】
2015202260.tif 000007
【図６】
2015202260.tif 000008